(57)【要約】      （修正有）【課題】ネットワークトラフィックの発生と不必要なデータパケットの送信による課金や端末機の性能の低下を防止することができる、ユーザの関心度を反映したマルチメディアストリームの再生方法及びマルチメディアの再生装置を提供する。【解決手段】マルチメディア再生装置は、マルチメディアストリームが含まれているマルチコンテンツページに関する情報を受信するネットワーク送受信部と、復号化されたマルチコンテンツページに関する情報に基づいて、マルチコンテンツページ内の所定のディスプレイ領域を出力するディスプレイ部と、ディスプレイ部を介して出力されるディスプレイ領域とマルチコンテンツページ内のマルチメディアストリーム領域とのオーバーラップ領域を検出するオーバーラップ領域検出部と、オーバーラップ領域が検出されれば、外部サーバーに対してマルチメディアストリームに関するデータを要請するマルチメディアプロセッサを含む。【選択図】図１
2010049687.tif 000002
【特許請求の範囲】
【請求項１】
マルチメディアストリームが含まれているマルチコンテンツページに関する情報を受信するネットワーク送受信部と、
復号化されたマルチコンテンツページに関する情報に基づいて、前記マルチコンテンツページ内の所定のディスプレイ領域を出力するディスプレイ部と、
前記ディスプレイ部を介して出力されるディスプレイ領域と前記マルチコンテンツページ内のマルチメディアストリーム領域とのオーバーラップ領域を検出するオーバーラップ領域検出部と、
前記ネットワーク送受信部を介して受信されたマルチコンテンツページに関する情報を復号化すると共に、前記オーバーラップ領域が検出されれば、外部サーバーに対して前記マルチメディアストリームに関するデータを要請するマルチメディアプロセッサを含むことを特徴とするユーザの関心度を反映したマルチメディアの再生装置。
【請求項２】
前記オーバーラップ領域検出部は、前記ディスプレイ領域と前記マルチメディアストリーム領域との座標に基づいて、オーバーラップ領域を検出することを特徴とする請求項１に記載のユーザの関心度を反映したマルチメディアの再生装置。
【請求項３】
前記マルチメディアプロセッサは、マルチメディアストリームに関するデータの要請をオーバーラップ領域のサイズが所定のサイズ以上である場合に行うことを特徴とする請求項１に記載のユーザの関心度を反映したマルチメディアの再生装置。
【請求項４】
前記マルチメディアプロセッサは、前記オーバーラップ領域のサイズが所定のサイズ以上である場合、前記マルチメディアストリームを再生することを特徴とする請求項３に記載のユーザの関心度を反映したマルチメディアの再生装置。
【請求項５】
前記マルチメディアプロセッサは、前記マルチメディアストリームを再生する場合、マルチメディアストリームの中でオーディオはフェードインで再生することを特徴とする請求項４に記載のユーザの関心度を反映したマルチメディアの再生装置。
【請求項６】
前記マルチメディアプロセッサは、前記オーバーラップ領域がこれ以上検出されない場合、前記再生を停止することを特徴とする請求項４に記載のユーザの関心度を反映したマルチメディアの再生装置。
【請求項７】
(a)マルチメディアストリームが含まれているマルチコンテンツページに関する情報を受信する段階と、
(b)前記受信されたマルチコンテンツページに関する情報を復号化すると共に、復号化されたマルチコンテンツページに関する情報に基づいて、前記マルチコンテンツページ内の所定のディスプレイ領域を出力する段階と、
(c)前記出力されたディスプレイ領域と前記マルチコンテンツページ内のマルチメディアストリーム領域とのオーバーラップ領域を検出する段階と、
(d)前記オーバーラップ領域が検出されれば、外部サーバーに対して前記マルチメディアストリームに関するデータを要請する段階を含むことを特徴とするユーザの関心度を反映したマルチメディアの再生方法。
【請求項８】
前記(c)段階におけるオーバーラップ領域は、前記ディスプレイ領域と前記マルチメディアストリーム領域との座標に基づいて検出されることを特徴とする請求項７に記載のユーザの関心度を反映したマルチメディアの再生方法。
【請求項９】
前記(d)段階におけるマルチメディアストリームに関するデータの要請をオーバーラップ領域のサイズが所定のサイズ以上である場合に行うことを特徴とする請求項７に記載のユーザの関心度を反映したマルチメディアの再生方法。
【請求項１０】
前記(d)段階は、前記オーバーラップ領域のサイズが所定のサイズ以上である場合に、前記マルチメディアストリームを再生する段階をさらに含むことを特徴とする請求項９に記載のユーザの関心度を反映したマルチメディアの再生方法。
【請求項１１】
前記マルチメディアストリームを再生する場合、マルチメディアストリームの中でオーディオはフェードインで再生する段階をさらに含むことを特徴とする請求項１０に記載のユーザの関心度を反映したマルチメディアの再生方法。
【請求項１２】
前記オーバーラップ領域がこれ以上検出されない場合、再生を停止する段階をさらに含むことを特徴とする請求項１０に記載のユーザの関心度を反映したマルチメディアの再生方法。
【請求項１３】
(a)マルチメディアストリームが含まれているマルチコンテンツページに関する情報を受信する段階と、
(b)前記受信されたマルチコンテンツページに関する情報を復号化すると共に、復号化されたマルチコンテンツページに関する情報に基づいて、前記マルチコンテンツページ内の所定のディスプレイ領域を出力する段階と、
(c)前記出力されたディスプレイ領域と前記マルチコンテンツページ内のマルチメディアストリーム領域とのオーバーラップ領域を検出する段階と、
(d)前記オーバーラップ領域が検出されれば、外部サーバーに対して前記マルチメディアストリームに関するデータを要請する段階を含むプログラムが記録されている、コンピューターで読み出し可能な記録媒体。
【発明の詳細な説明】
【技術分野】
【０００１】
本発明は、マルチメディアストリームの再生に関し、更に詳しくはディスプレイされたマルチコンテンツページからユーザインタフェースを介してディスプレイされるディスプレイ領域とマルチメディアストリーム領域とのオーバーラップ領域を検出し、検出されたオーバーラップ領域のサイズに応じてマルチメディアストリームに関するデータを要請して再生することで、ネットワークトラフィックの発生と不必要なデータパケットの送信による課金や端末機の性能の低下を防止することができる、ユーザの関心度を反映したマルチメディアストリームの再生方法、マルチメディアの再生装置、およびコンピューターで読み出し可能な記録媒体に関する。
【背景技術】
【０００２】
携帯電話、ＰＤＡ，ＰＭＰ等の各種モバイル器機が無線インターネットを支援することができるフルブラウジング機能と通信機能を備えることによって、マルチメディアストリームの再生は必須の要素になっており、様々なコンテンツに対するユーザの便宜性を考慮したマルチメディアデータに対する様々な制御方式が要求されている。
【０００３】
従来のマルチメディアの再生方法の場合、マルチコンテンツページ領域に移動すれば、再生モードに従ってマルチコンテンツページに含まれているマルチメディアストリームを再生する。このような再生モードには自動再生モードと受動再生モードが存在する。自動再生モードの場合にはユーザの意図と関係なくマルチメディアが再生され、受動再生モードの場合にはユーザからの入力を受けてマルチメディアストリームが再生されるようになる。この時、これらの二つの再生モードの中で自動再生モードの場合にはユーザの意図と関係なくマルチメディアストリームが再生されるという問題がある。このような従来の技術によって自動再生モードでマルチメディアストリームが再生される場合の問題を図１に示している。
【０００４】
図１(a)はユーザインタフェースのディスプレイ領域１０１にマルチコンテンツページ１００内のマルチメディアストリーム１０２がディスプレイされない状態を示しており、図１(b)はユーザインタフェースのディスプレイ領域１０１にマルチコンテンツページ１００内のマルチメディアストリーム１０２がディスプレイされる状態を示している。即ち、図１(a)において、マルチメディアストリーム領域１０２はユーザインタフェースを介してディスプレイ領域１０１にディスプレイされない状態であるが、暫定的にディスプレイ領域として選定されることができる。
【０００５】
従来の技術において、自動再生モードでマルチメディアストリーム領域１０２内のマルチメディアストリームを再生する場合、図１(a)のような場合にはディスプレイ領域１０１にマルチメディアストリーム領域１０２内のマルチメディアストリームがディスプレイされないことにも関わらずマルチメディアストリーム１０２が再生されるので、データの要請等によってネットワークトラフィックが発生し、また不必要なデータパケット送信等によって料金が発生し、端末機の性能の低下が発生する恐れがある。このような不必要な再生によって端末機のユーザは不便を感じるようになる。
【発明の概要】
【発明が解決しようとする課題】
【０００６】
本発明は上述した問題を解決するために案出された。本発明は、ネットワークトラフィックの発生と不必要なデータパケットの送信による課金や端末機の性能の低下を防止することができる、ユーザの関心度を反映したマルチメディアストリームの再生方法、マルチメディアの再生装置、およびコンピューターで読み出し可能な記録媒体を提供することを目的とする。
【課題を解決するための手段】
【０００７】
本発明の目的を達成するためのユーザの関心度を反映したマルチメディアストリームの再生装置は、マルチメディアストリームが含まれているマルチコンテンツページに関する情報を受信するネットワーク送受信部と、復号されたマルチコンテンツページに関する情報に基づいて、マルチコンテンツページ内の所定のディスプレイ領域を出力するディスプレイ部と、ディスプレイ部を介して出力されるディスプレイ領域とマルチコンテンツページ内のマルチメディアストリーム領域とのオーバーラップ領域を検出するオーバーラップ領域検出部と、ネットワーク送受信部を介して受信されたマルチコンテンツページに関する情報を復号化すると共に、オーバーラップ領域が検出されれば、外部サーバーに対してマルチメディアストリームに関するデータを要請するマルチメディアプロセッサを含むことを特徴とする。
【０００８】
望ましくは、オーバーラップ領域検出部は、ディスプレイ領域とマルチメディアストリーム領域との座標に基づいて、オーバーラップ領域を検出することを特徴とする。
【０００９】
また、マルチメディアプロセッサは、マルチメディアストリームに関するデータの要請をオーバーラップ領域のサイズが所定のサイズ以上である場合に行うことを特徴とする。
【００１０】
望ましくは、マルチメディアプロセッサは、オーバーラップ領域のサイズが所定のサイズ以上である場合、マルチメディアストリームを再生することを特徴とする。
【００１１】
また、マルチメディアプロセッサは、マルチメディアストリームを再生する場合、マルチメディアストリームの中でオーディオをフェードインで再生することを特徴とする。
【００１２】
望ましくは、マルチメディアプロセッサは、オーバーラップ領域がこれ以上検出されない場合、再生を停止することを特徴とする。
【００１３】
また、本発明の目的を達成するためのユーザの関心度を反映したマルチメディアストリームの再生方法は、(a)マルチメディアストリームが含まれているマルチコンテンツページに関する情報を受信する段階と、(b)受信されたマルチコンテンツページに関する情報を復号化すると共に、復号化されたマルチコンテンツページに関する情報に基づいて、マルチコンテンツページ内の所定のディスプレイ領域を出力する段階と、(c)出力されたディスプレイ領域とマルチコンテンツページ内のマルチメディアストリーム領域とのオーバーラップ領域を検出する段階と、(d)オーバーラップ領域が検出されれば、外部サーバーに対してマルチメディアストリームに関するデータを要請する段階を含むことを特徴とする。
【００１４】
望ましくは、(c)段階におけるオーバーラップ領域は、ディスプレイ領域とマルチメディアストリーム領域との座標に基づいて検出されることを特徴とする。
【００１５】
また、(d)段階におけるマルチメディアストリームに関するデータの要請をオーバーラップ領域のサイズが所定のサイズ以上である場合に行うことを特徴とする。
【００１６】
望ましくは、(d)段階は、オーバーラップ領域のサイズが所定のサイズ以上である場合、マルチメディアストリームを再生する段階をさらに含むことを特徴とする。
【００１７】
また、マルチメディアストリームを再生する場合、マルチメディアストリームの中でオーディオをフェードインで再生する段階をさらに含むことを特徴とする。
【００１８】
望ましくは、オーバーラップ領域がこれ以上検出されない場合、再生を停止する段階をさらに含むことを特徴とする。
【００１９】
更に、本発明は、ユーザの関心度を反映したマルチメディアストリームの再生方法が記録されているコンピューターで読み出し可能な記録媒体を提供する。
【発明の効果】
【００２０】
本発明によれば、マルチメディアページ内において再生しようとするマルチメディアストリームがユーザの関心領域、即ちディスプレイ領域に存在しているかを把握し、ユーザの関心領域に存在する場合だけに、マルチメディアストリームを再生するようにすることで、ネットワークトラフィックの発生と不必要なデータパケットの送信による課金や端末機の性能の低下を防止することができる。
【図面の簡単な説明】
【００２１】
【図１】従来の技術によって自動再生モードでマルチメディアストリームを再生する場合の問題を示した図である。
【図２】本発明の一つの実施例によるユーザの関心度を反映したマルチメディアの再生装置の構成図である。
【図３】本発明の一つの実施例によるディスプレイ領域とマルチメディアストリーム領域間のオーバーラップ領域のサイズに応じてデータの要請及びオーディオ/ビデオ再生の可否を示す図である。
【図４】本発明の一つの実施例によってオーバーラップ領域を検出するための一例である。
【図５】本発明の一つの実施例によるマルチメディアストリーム領域とディスプレイ領域のそれぞれのサイズを示している。
【図６】本発明の一つの実施例によるユーザの関心度を反映したマルチメディアの再生方法のフローチャートである。
【発明を実施するための形態】
【００２２】
以下、添付の図面を参照しつつ、本発明によるユーザの関心度を反映したマルチメディアストリームの再生方法及びマルチメディアの再生装置に対して最も望ましい実施例を説明する。
【００２３】
図２は本発明の一つの実施例によるユーザの関心度を反映したマルチメディアの再生装置２００の構成図である。ユーザの関心度を反映したマルチメディアの再生装置２００は、ユーザインタフェース２０１、ネットワーク送受信部２０２、マルチメディアプロセッサ２０３、記憶部２０４、ディスプレイ部２０５、オーバーラップ領域検出部２０６を有している。
【００２４】
図２に示すように、ユーザインタフェース２０１は、マルチメディアの再生装置２００とのインタフェースのための装置として、ユーザから従来再生モードまたは本発明による再生モードに対する入力を受けてマルチメディアプロセッサ２０３に伝達する。また、ユーザからマルチコンテンツページ要請を受けるようになれば、これをマルチメディアプロセッサ２０３に伝達する、或いはユーザによってマルチコンテンツページ内のディスプレイ領域３０１が変更されれば、このような情報をマルチメディアプロセッサ２０３に伝達する。
【００２５】
ネットワーク送受信部２０２は、マルチメディアプロセッサ２０３の制御下でＨＴＴＰまたはＭＭＴＰのようなプロトコルを利用して外部サーバー(未図示)に対してマルチメディアストリームが含まれているマルチコンテンツページを要請する。また、マルチメディアプロセッサ２０３の制御下で、外部サーバー(未図示)からマルチコンテンツページに関する情報が受信されれば、これを記憶部２０４に保存する。例えば、マルチコンテンツページに関する情報は、一般のウェブページであり得る。また、ネットワーク送受信部２０２は、マルチメディアプロセッサ２０３の制御下で、マルチメディアストリームに関するデータを受信して記憶部２０４に保存する。
【００２６】
マルチメディアプロセッサ２０３は、記憶部２０４に保存されているマルチコンテンツページに関する情報を復号化して再び記憶部２０４に保存すると共に、オーバーラップ領域検出部２０６によってオーバーラップ領域が検出されれば、外部サーバー(未図示)に対してマルチメディアストリームに関するデータを要請する。ここで、オーバーラップ領域とはディスプレイ領域(図３の３０１)と、マルチメディアストリームが含まれているマルチメディアストリーム領域(図３の３０２)とがオーバーラップになる領域を言う。オーバーラップ領域のサイズに応じてデータの要請及びオーディオ/ビデオ再生の可否を決めることについては以下で詳細に説明する。
【００２７】
図３は本発明の一つの実施例によってディスプレイ領域とマルチメディアストリーム領域間のオーバーラップ領域のサイズに応じてデータの要請及びオーディオ/ビデオ再生の可否を示す図である。ここで、３００はマルチコンテンツページ領域を示しており、３０１はディスプレイ部２０５によって出力されるディスプレイ領域を示しており、３０２はマルチメディアストリームが含まれているマルチメディアストリーム領域を示している。一方、表１は図３と関連してオーバーラップ領域のサイズに応じてデータの要請及びオーディオ/ビデオ再生の可否の例示である。
【００２８】
【表１】
2010049687.tif 000003
【００２９】
図３に示すように、図３(a)はマルチコンテンツページ３００中でディスプレイ領域３０１とマルチメディアストリーム領域３０２とのオーバーラップ領域が０％である場合を示している。図３(a)の場合には、マルチメディアストリームの中でオーディオやビデオの再生は停止状態であって、ネットワーク制御を通じるマルチメディアストリームデータを要請しない。
【００３０】
図３(b)はマルチコンテンツページ３００中でディスプレイ領域３０１とマルチメディアストリーム領域３０２とのオーバーラップ領域が１０％である場合を示している。図３(b)の場合には、マルチメディアストリームの中でオーディオやビデオの再生は停止状態であるが、ネットワーク制御を通じて外部サーバー(未図示)に対してマルチメディアストリームの再生のためのマルチメディアストリームデータを要請する。
【００３１】
図３(c)はマルチコンテンツページ３００中でディスプレイ領域３０１とマルチメディアストリーム領域３０２とのオーバーラップ領域が５０％である場合を示している。図３(c)の場合には、マルチメディアストリームの中でオーディオやビデオを継続して再生し、ネットワーク制御を通じて外部サーバー(未図示)に対してマルチメディアストリームの再生のためのマルチメディアストリームデータを継続して要請する。一例でオーディオの音量はフェードインで設定する、もしくは本来設定された音量の５０％から１００％の間等で予め設定しておくことで、急なマルチメディアストリームの再生による負担感を取り除くようにすることができる。図３(d)はマルチコンテンツページ３００中でディスプレイ領域３０１とマルチメディアストリーム領域３０２とのオーバーラップ領域が１００％である場合を示している。図３(d)の場合には、マルチメディアストリームの中でオーディオやビデオを継続して再生し、ネットワーク制御を通じて外部サーバー(未図示)に対してマルチメディアストリームの再生のためのマルチメディアストリームデータを継続して要請する。オーディオ音量は本来設定された音量によって再生する。
【００３２】
一方、図３(e)はマルチコンテンツページ３００中でディスプレイ領域３０１とマルチメディアストリーム領域３０２とのオーバーラップ領域が０％である場合を示している。図３(e)の場合は、ユーザの関心度がマルチメディアストリーム３０２から離れているということを意味するので、再生中であるマルチメディアストリーム、即ちオーディオやビデオの再生を停止する。また、マルチメディアストリームデータの要請によるネットワークトラフィックとデータパケット要請による課金等を低減するために、マルチメディアデータの要請のためのネットワーク制御を中断する。実施例によって、オーディオの音量設定を図３(c)と異なる、フェードアウトのような設定にすることができる。
【００３３】
ここで、図３(a)〜図３(e)では、具体的な数値を例に挙げて記述したが、これは理解の便宜のために用いた数値例であり、必ず上記数値例に限定されるものではない。例えばオーバーラップ領域は、５％, １２％等のように様々な数値で具現されることができる。また、逆に(e)から(a)の方向に進行される場合にも上記で説明したのと同様の方式で進行される。あるいは他の実施例によっては、マルチメディアストリームの再生中に停止された場合に、ユーザに最後に提供された時点から再生するように構成することもできる。
【００３４】
記憶部２０４は、ネットワーク送受信部２０２を介して外部サーバー(未図示)から受信されたマルチメディアストリームが含まれているマルチコンテンツページに関する情報を保存し、マルチメディアプロセッサ２０３で復号化したマルチコンテンツページに関する情報を保存する。また、外部サーバー(未図示)から受信されたマルチメディアストリームに関するデータを保存する。本発明では、すべての情報やデータが記憶部２０４に一旦保存されることを前提にしたが、実施例によっては記憶部２０４を介さずにリアルタイムで再生することもできることは当業者において自明である。
【００３５】
ディスプレイ部２０５は、液晶ディスプレイ(ＬＣＤ：Liquid Crystal Display)のような装置であり、復号化されたマルチコンテンツページに関する情報に基づいて、マルチコンテンツページ内の所定のディスプレイ領域(図３の３０１)をディスプレイする。
【００３６】
オーバーラップ領域検出部２０６は、ディスプレイ部２０５を介して出力されるディスプレイ領域(図３の３０１)とマルチコンテンツページ３００内のマルチメディアストリーム領域３０２とのオーバーラップ領域を検出してマルチメディアプロセッサ２０３に伝逹する。以下、更に具体的なオーバーラップ領域を検出する一例に対して説明する。
【００３７】
図４は本発明の一つの実施例によってオーバーラップ領域を検出するための一例である。先ず、オーバーラップ領域の検出はディスプレイ領域３０１とマルチメディアストリーム領域３０２の座標に基づいて行われる。図４に示すように、ディスプレイ領域３０１を構成する４個の座標は、(Ａ１、Ｂ１)、(Ａ２,Ｂ１)、(Ａ１、Ｂ２)、(Ａ２、Ｂ２)であり、マルチメディアストリーム領域３０２を構成する４個の座標は、(Ｘ１、Ｙ１)、(Ｘ２、Ｙ１)、(Ｘ１、Ｙ２)、(Ｘ２、Ｙ２)である。従って、マルチメディアストリーム領域３０２の座標Ｘ１またはＸ２の中で何れか一つがＡ１とＡ２の間に存在する場合、オーバーラップ領域が存在することを判断することができる。また、マルチメディアストリーム領域３０２の座標Ｙ１またはＹ２の中で何れか一つがＢ１とＢ２の間に存在する場合、オーバーラップ領域が存在することを判断することもできる。
【００３８】
次に、図４においてオーバーラップ領域のサイズは(Ｘ２−Ｘ１)×(Ｙ１−Ｂ２)のように計算されることができ、マルチメディアストリーム領域のサイズは(Ｘ２−Ｘ１)×(Ｙ１−Ｙ２)であるので、オーバーラップ領域を％で示すことができる。上記のようなオーバーラップ領域の検出及びサイズの計算は一例に過ぎず、システムの構成によって他の方式で計算されることができることは当業者において自明である。
【００３９】
一方、図５は本発明の一つの実施例によるマルチメディアストリーム領域とディスプレイ領域のそれぞれのサイズを示している。図５(a)はマルチメディアストリーム領域３０２のサイズとディスプレイ領域３０１のサイズが等しい場合を示しており、図５(b)はディスプレイ領域３０１のサイズがマルチメディアストリーム領域３０２のサイズより大きい場合を示しており、図５(c)はディスプレイ領域３０１のサイズがマルチメディアストリーム領域３０２のサイズより小さい場合を示している。このようにディスプレイ領域３０１のサイズとマルチメディアストリーム領域３０２のサイズは様々な方式で変更されて実施することができる。
【００４０】
図６は本発明の一つの実施例によるユーザの関心度を反映したマルチメディアの再生方法のフローチャートである。本発明の記述上の便宜のために図１〜図５と重なる説明は省略することにする。
【００４１】
先ず、段階６００において、マルチメディアプロセッサ２０３は、ユーザインタフェース２０１を介してユーザからの入力を受けたキーの値に基づいて、従来の再生方式でマルチメディアストリームを再生するかの可否を判断する。判断の結果、従来の再生方式で再生する場合には、段階６０６に進行して、従来の再生方式によってマルチメディアストリームを再生する。また、判断の結果、従来の再生方式で再生しない場合には、段階６０１に進行する。
【００４２】
段階６０１において、マルチメディアプロセッサ２０３は、ネットワーク送受信部２０２を介して外部サーバー(未図示)に対してマルチコンテンツページを要請すると共に、外部サーバー(未図示)から受信されたマルチメディアストリームを含むマルチコンテンツページ情報を記憶部２０４に保存する。
【００４３】
続いて、段階６０２において、マルチメディアプロセッサ２０３は、記憶部２０４に保存されているマルチメディアストリームを含むマルチコンテンツページ情報を読み出すと共に、復号化して記憶部２０４に保存する。
【００４４】
段階６０３において、オーバーラップ領域検出部２０６は、上述した方式で、ディスプレイ領域とマルチメディアストリーム領域とのオーバーラップ領域を検出すると共に、オーバーラップ領域のサイズを計算して、これをマルチメディアプロセッサ２０３に伝達する。
【００４５】
続いて、段階６０４において、マルチメディアプロセッサ２０３は、オーバーラップ領域のサイズに応じて表１のような方式でマルチメディアストリームに関するデータを外部サーバー(未図示)に対して要請する。
【００４６】
段階６０５においては、オーバーラップ領域のサイズに応じて表１のような方式で受信されたマルチメディアストリームデータを再生する。
【００４７】
また、本発明はコンピューターで読み出すことができる記録媒体で具現することが可能である。コンピューターが読み出すことができる記録媒体はコンピューターシステムによって読み出されることができるデータが保存されるすべての種類の記録装置を含む。コンピューターが読み出すことができる記録媒体は、ＲＯＭ、ＲＡＭ、ＣＤ−ＲＯＭ、磁気テープ、プロッピーディスク、光データ保存装置等がある。また、コンピューターが読み出すことができる記録媒体は、ネットワークによって繋がれたコンピューターシステムに分散され、分散方式でコンピューターが読み出すことができるコードが保存されて実行されることができる。
【００４８】
以上、図面と明細書において最適な実施例を開示した。ここで、本発明を説明するために、理解の便宜上特定の用語が使われているが、特許請求の範囲に記載されている本発明の範囲を制限するものではない。よって本発明の技術分野における通常の知識を有する者であれば、本発明から様々な変形及び均等な他の実施例が可能であるということを理解することができる。従って、本発明の技術的な保護範囲は添付された特許請求範囲の技術的な思想によって定めなければならない。
【産業上の利用可能性】
【００４９】
ネットワークを介したコンテンツ配信産業およびモバイル端末産業への利用が期待できる。
【符号の説明】
【００５０】
２００  ユーザの関心度を反映したマルチメディアの再生装置、２０１  ユーザインタフェース、２０２  ネットワーク送受信部、２０３  マルチメディアプロセッサ、２０４  記憶部、２０５  ディスプレイ部、２０６  オーバーラップ領域検出部、３００  マルチコンテンツページ領域、３０１  ディスプレイ領域、３０２  マルチメディアストリーム領域。
【図１】
2010049687.tif 000004
【図２】
2010049687.tif 000005
【図３】
2010049687.tif 000006
【図４】
2010049687.tif 000007
【図５】
2010049687.tif 000008
【図６】
2010049687.tif 000009